(57)【要約】      （修正有）【課題】コントラスト比の異なる２種類の視標を用意せずに、高コントラスト視力と低コントラスト視力とを測定することができる検眼装置を提供する。【解決手段】測定する視力に応じた複数の視標のうち一部を被検眼へ呈示する視標呈示光学系と、視標呈示光学系によって被検眼へ呈示される視標へ照明光を照射する可視光源と、を備え、可視光源から視標に照射される照明光の光量を、所定の第１光量と第１光量より減光された第２光量とに切り換えるＳ２の処理と、可視光源から視標に照射される照明光の光量を、第１光量から前記第２光量へ切り換えられる場合に、被検眼へ呈示される視標を切り換えるＳ３の処理とを実行する制御部を備える。【選択図】図３
2014147427.tif 000002
【特許請求の範囲】
【請求項１】
測定する視力に応じた複数の視標を持ち、複数の視標のうち一部を被検眼へ呈示する視標呈示手段と、
前記視標呈示手段によって被検眼へ呈示される視標へ照明光を照射する照明手段と、
前記視標呈示手段によって被検眼に呈示される視標に照射される前記照明手段からの照明光の光量を、所定の第１光量と、その第１光量より減光された第２光量とに切り換え可能な照明切換手段と、
前記照明手段から前記視標に照射される照明光の光量が前記照明切換手段によって前記第１光量から前記第２光量へ切り換えられる場合に、前記視標呈示手段によって被検眼へ呈示される視標を切り換える第１視標切換手段を備えていることを特徴とする検眼装置。
【請求項２】
前記第１視標切換手段は、前記照明切換手段によって前記照明光の光量が前記第１光量から前記第２光量に切り換えられる場合に、前記視標呈示手段によって被検眼へ呈示される視標を、前記照明光の光量が前記第１光量である場合において被検眼へ呈示されていた視標とは測定する視力の異なる視標に切り換えるものであることを特徴とする請求項１記載の検眼装置。
【請求項３】
前記第１視標切換手段は、前記照明切換手段によって前記照明光の光量が前記第１光量から前記第２光量に切り換えられる場合に、前記視標呈示手段によって被検眼へ呈示される視標を、前記照明光の光量が前記第１光量である場合において被検眼へ呈示されていた視標よりも、測定する視力の低い視標に切り換えるものであることを特徴とする請求項２記載の検眼装置。
【請求項４】
被検眼に対しグレア光を出射するグレア出射手段と、
前記照明光の光量が前記照明切換手段によって前記第２光量に切り換えられている状態で前記グレア出射手段によるグレア光が被検眼に出射される場合に、前記視標呈示手段によって被検眼へ呈示される視標を切り換える第２視標切換手段とを備えていることを特徴とする請求項１から３のいずれかに記載の検眼装置。
【請求項５】
前記第２視標切換手段は、前記照明手段から前記視標に照射される照明光の光量が前記第２光量である第２光量状態において前記グレア出射手段からグレア光が出射される場合に、前記視標呈示手段によって被検眼へ呈示される視標を、前記第２光量状態において前記グレア出射手段からグレア光が出射されていない場合に被検眼へ呈示されていた視標とは測定する視力の異なる視標に切り換えるものであることを特徴とする請求項４記載の検眼装置。
【請求項６】
前記第２視標切換手段は、前記照明手段から前記視標に照射される照明光の光量が前記第２光量である第２光量状態において前記グレア出射手段からグレア光が出射される場合に、前記視標呈示手段によって被検眼へ呈示される視標を、前記第２光量状態において前記グレア出射手段からグレア光が出射されていない場合に被検眼へ呈示された視標よりも、測定する視力の低い視標に切り換えるものであることを特徴とする請求項５記載の検眼装置。
【請求項７】
被検眼の眼底に向けて測定光を投光する投光光学系と、その投光光学系からの測定光が被検眼の眼底にて反射した反射光を受光素子により受光する受光光学系と、を有し、その受光光学系における受光素子の受光結果に基づいて被検眼の眼屈折力を他覚的に測定する他覚式眼屈折力測定手段を備えていることを特徴とする請求項１から６のいずれかに記載の検眼装置。
【発明の詳細な説明】
【技術分野】
【０００１】
本発明は、被検眼に視標を呈示して視力測定（検眼）を行う検眼装置に関する。
【背景技術】
【０００２】
従来より、複数の視標を用いて、被検眼の視力測定を行うための検眼装置が知られている。例えば、特許文献１記載の検眼装置には、眼屈折力を他覚的に測定するオートレフラクトメータに、視力値を測定するための複数の視標を持つ視力チャート（本実施形態の視標板に相当）と、その視力チャートの視標を被検眼に呈示するための光学系とが設けられている。
【先行技術文献】
【特許文献】
【０００３】
【特許文献１】特開２００５−２９６５４１号公報
【発明の概要】
【発明が解決しようとする課題】
【０００４】
ところで、一台の装置で、いわゆる高コントラスト視力の他に、いわゆる低コントラスト視力についても測定したいという要望があった。低コントラスト視力は、高コントラストの視標（高コントラストの視標）に比べて、視標と視標の背景部分とのコントラスト比が小さな視標（低コントラストの視標）を用いて測定されていた。故に、高コントラスト視力と低コントラスト視力とを一台の装置で測定するためには、背景とのコントラスト比の異なる２種類の視標を、必ず用意しなければならなかった。
【課題を解決するための手段】
【０００５】
上記課題を解決するために、本発明の検眼装置は、測定する視力に応じた複数の視標を持ち、複数の視標のうち一部を被検眼へ呈示する視標呈示手段と、前記視標呈示手段によって被検眼へ呈示される視標へ照明光を照射する照明手段と、前記視標呈示手段によって被検眼に呈示される視標に照射される前記照明手段からの照明光の光量を、所定の第１光量と、その第１光量より減光された第２光量とに切り換え可能な照明切換手段と、前記照明手段から前記視標に照射される照明光の光量が前記照明切換手段によって前記第１光量から前記第２光量へ切り換えられる場合に、前記視標呈示手段によって被検眼へ呈示される視標を切り換える第１視標切換手段と、を備えている。
【発明の効果】
【０００６】
本発明によれば、必ずしもコントラスト比の異なる２種類の視標を用意しなくても高コントラスト視力と低コントラスト視力とを測定できるという効果を奏する。
【図面の簡単な説明】
【０００７】
【図１】本発明の検眼装置の光学系及び制御系の概略構成図である。
【図２】グレア点灯状態での視力測定において、被検眼に呈示される像を説明するための説明図である。
【図３】視力測定モードにおける検査の流れの一例を示したフローチャートである。
【発明を実施するための形態】
【０００８】
以下、本発明の実施形態を図面に基づいて説明する。図１は、本発明の実施形態である検眼装置１の光学系及び制御系の概略構成図である。検眼装置１は、通常の視力測定（高コントラスト視力の測定）と、低コントラスト視力の測定と、グレア点灯状態での視力測定とを行うための検眼装置である。ここで、通常の視力測定とは、本実施形態では、ＪＩＳ規格で規定される標準視力検査装置の使用条件に準じた条件で行われる視力測定を指すものとする。また、本実施形態において、検眼装置１は、他覚的な眼屈折力測定を行う機能を併せ持つものとして説明する。検眼装置１の光学系および制御系は、図示無き筐体に内蔵されている。また、その筐体は、周知のアライメント用移動機構により、被検眼Ｅに対して三次元的に移動されてもよい。また、手持ちタイプ（ハンディタイプ）であってもよい。
【０００９】
初めに、検眼装置１の光学系について説明する。検眼装置１は、主な光学系として、視標呈示光学系１０と、グレアテスト光学系４０と、リング指標投影光学系５５および作動距離指標投影光学系５６と、観察光学系（撮像光学系）６０と、測定光学系７０と、を有している。
【００１０】
視標呈示光学系１０は、被検眼Ｅに視標を呈示するための光学系である。視標呈示光学系１０は、可視光源１１と、視標板１２と、投光レンズ１３と、ハーフミラー１６と、ダイクロイックミラー１７と、対物レンズ１８と、を含む。視標板１２は、黒色で画かれた複数の視標１２ａを白色の本体に持つディスク板である。各視標１２ａは、視標板１２の周方向に並べて配置されている。視標板１２は、モータ１８に接続されている。視標板１２が、モータ１８によって回転されることで、被検眼Ｅに呈示する視標１２ａが切り換えられる。なお、視標板１２として、ディスク板以外の構成を採用することができる。例えば、複数の視標が一方向に並べられた板材の視標板であってもよい。かかる場合は、例えば、モータ１８に代えて、視標と光路Ｌ１とが対向するように光路Ｌ１対して視標板をスライドさせる駆動機構を設ければよい。
【００１１】
本実施形態において、視標１２ａには、自覚測定時（視力測定時）に使用される視力検査用視標（例えば、ランドルト環）と、他覚測定時に被検眼Ｅに雲霧を行うための固視標とを少なくとも含む。視力検査用視標は、被検眼Ｅへ同時に呈示される５個で一組の視標１２ａが、視力値毎に（本実施形態においては、視力値０．１、０．３、０．５、・・・、１．５の各視力値で一組ずつ）用意されている。本実施形態において、視力検査用視標の色の濃さは、各視標１２ａで均一である。
【００１２】
なお、本実施形態において視標板１２が持つ視力検査用視標は、視力値毎に５個ずつ用意されているものとして説明したが、必ずしもこれに限られるものではなく、視力値毎に１以上あればよい。また、本実施形態において視標板１２が持つ視力検査用視標は、ランドルト環に限られるものではない。例えば、視力検査用視標として、文字、数字、記号、図形等を用いることができる。
【００１３】
可視光源１１は、視標板１２に照明光を出射する光源であり、被検眼Ｅを視標板１２へ固視させるための固視光源として用いられる。可視光源１１によって視標１２ａが照明されると、視標１２ａの視標光束は、投光レンズ１３からダイクロイックミラー１７までの光学部材を介して被検眼Ｅに向かう。これにより、光軸Ｌ１に配置された視標１２ａが被検眼Ｅに呈示される。視標板１２は、モータ１８によって回転され、視標呈示光学系１０の光軸Ｌ１上に配置する視標１２ａが切り替え配置される。これにより、被検眼Ｅに呈示される視標１２ａが切り替えられる。なお、被検眼Ｅに呈示される視標１２ａの切り替えは、視標板１２の駆動によって行うものに限られるものではない。例えば、視標板１２に代えて、視力値毎の視標を一覧可能な視力チャートを、予め光路Ｌ１上に配置させ、所望の視力値以外の視標１２ａに対する可視光源４１からの照明光をフィルタによって遮光する等、照明光の照射位置を切り換えるような構成にしてもよい。
【００１４】
また、可視光源１１は、出射する光量を、第１光量と、その第１光量より減光された第２光量との少なくとも２段階に切り換え可能に構成されている。可視光源１１から第２光量の照明光が出射されている場合は、第１光量の照明光が出射されている場合と比べて、被検眼Ｅに呈示される視標１２ａの背景の輝度が低下する。一方、可視光源１１から出射される照明光が第１光量から第２光量に切り換わった場合における視標１２ａの輝度変化は、背景の輝度変化に比べて少ない。このため、可視光源１１から第２光量の照明光を出射させることで、被検眼Ｅに呈示される視標１２ａと、その視標１２ａの背景とのコントラスト比を、第１光量の照明光が出射されている場合よりも低減することができる。よって、視標板１２が色の濃さの異なる視標１２ａを持たなくても、可視光源１１から出射される照明光の光量を切り換えることで、被検眼Ｅに呈示される視力検査用の各視標１２ａと各視標１２ａの背景とのコントラスト比が高い状態と、低い状態とに切り換えることができる。よって、本実施形態の検眼装置１によれば、色の濃さの異なる視標を持たない視標板１２を用いて、高コントラスト視力の測定と、低コントラスト視力の測定とを行うことができる。
【００１５】
なお、被検眼Ｅに呈示される視力検査用の視標１２ａと背景とのコントラスト比は、可視光源１１からの光量を調節することにより、任意の範囲で設定することができる。本実施形態においては、第１光量が照射された場合の視力検査用の視標１２ａと背景とのコントラスト比は、標準視力検査装置のコントラスト比に準じて、８２％以上となるものとして説明する。また、第２光量が照射された場合の視力検査用の視標１２ａと背景とのコントラスト比は、２５％未満となるものとして説明する。但し、可視光源１１からの出射される第１光量と第２光量とを変更することで、視力検査用の視標１２ａと背景とのコントラスト比を変更しても、本発明を実施することができる。例えば、第１光量が照射された場合の視力検査用の視標１２ａと背景とのコントラスト比を、標準視力検査装置のコントラスト比に準じない、８２％未満の値としてもよい。
【００１６】
詳細は後述するが、高コントラスト視力の測定のほかに、他覚的に眼屈折力の測定を行う場合にも可視光源１１を第１光量で点灯させる。また、低コントラスト視力の測定のほかに、グレア点灯状態での視力測定を行う場合にも、可視光源１１を第２光量で点灯させる。
【００１７】
可視光源１１及び視標板１２（視標１２ａ）は、モータ及びスライド機構からなる駆動機構１９によって、光軸Ｌ１に沿って一体的に移動される。可視光源１１及び視標１２ａの移動により、他覚測定時には、被験者眼Ｅに雲霧が掛けられる。また、可視光源１１及び視標１２ａの移動により、自覚測定時（視力測定時）には被検眼に対する視標１２ａの呈示位置（呈示距離）が光学的に変えられ、これにより被検眼の球面屈折力の誤差が矯正される。すなわち、投光レンズ１３、可視光源１１及び視標１２ａの移動により、球面度数の矯正光学系が構成される。なお、球面度数の矯正光学系は、上記に示した構成に限られるものではなく、光路中に配置したリレーレンズを、光軸方向に移動させるように構成しても良い。
【００１８】
グレアテスト光学系４０は、可視光源（グレア光源）４１を有し、視標呈示光学系１０から視標１２ａを呈示された被検眼Ｅに対してグレア光を出射するための光学系である。グレアテスト光学系４０は、例えば、２つの（一対の）可視光源４１、コンデンサレンズ４２、を含む。２つの可視光源４１は、高コントラスト視力の測定、低コントラスト視力の測定、および、他角的な眼屈折力測定においては消灯されており、グレア点灯状態での視力測定において点灯される。光源４１から出射された光束は、コンデンサレンズ４２、ハーフミラー１６を介して被検眼Ｅに向かう。
【００１９】
ここで、図２を参照して、グレア点灯状態での視力測定について説明する。図２は、グレア点灯状態での視力測定において、被検眼Ｅに呈示される像を説明するための説明図である。図２に示すように、本実施形態において２つの可視光源４１は、視標１２ａの左右に見える位置に配置される。グレア点灯状態での視力測定では、可視光源４１は、視標１２ａの外周付近にグレア光を発光させる。このグレア光は、車のヘッドライトを模したものであり、グレア光の点灯によって、被検者が夜間に車を見た状況が視覚的に再現される。例えば、被検者が白内障を患っていると、被検眼Ｅに照射された水晶体の混濁によってグレア光が散乱され、視標１２ａが見え難くなる。このため、検者は、被検者の応答に基づいて、被検眼Ｅに白内障があるか否かを推測することができる。
【００２０】
図１に戻って説明を続ける。図１に示すように、被検眼Ｅの前眼部の前方には、リング指標投影光学系５５と、作動距離指標投影光学系５６とが配置されている。リング指標投影光学系５５は、被検眼Ｅの角膜Ｅｃに対してリング指標を投影するための近赤外光を発する光学系である。角膜Ｅｃに投影するリング指標は、角膜形状測定用の指標として利用できる。また、リング投影光学系５５は、被検眼Ｅの前眼部を照明する前眼部照明としても用いることもできる。一方、作動距離指標投影光学系５６は、被検眼Ｅの角膜Ｅｃに無限遠指標を投影するための近赤外光を発する光学系である。角膜Ｅｃに対する無限遠指標の位置に基づいて、被検眼Ｅに対する検眼装置１の位置をアライメントすることができる。
【００２１】
測定光学系７０は、投影光学系（投光光学系）７０ａと、受光光学系７０ｂと、から構成される。投影光学系（投光光学系）７０ａは、被検眼Ｅの瞳孔中心部を介して被検眼Ｅの眼底Ｅｆにスポット状の測定指標を投影するための光学系である。また、受光光学系７０ｂは、眼底Ｅｆから反射された眼底反射光を瞳孔周辺部を介してリング状に取り出し、リング状の眼底反射像を撮像するための光学系である。
【００２２】
投影光学系７０ａは、視標呈示光学系１０のダイクロイックミラー１７と、対物レンズ１８とが共用され、測定光学系７０の光軸Ｌ２上に配置された、測定光源７１と、リレーレンズ７２と、ホールミラー７３と、を含む。光源７１は、正視眼の眼底Ｅｆと光学的に共役な位置関係となっている。また、ホールミラー７３の開口は、眼Ｅの瞳孔と光学的に共役な位置関係となっている。
【００２３】
受光光学系７０ｂは、視標呈示光学系１０のダイクロイックミラー及び対物レンズ１８と、投影光学系７０ａのホールミラー７３とが共用されている。また、受光光学系７０ｂは、ホールミラー７３の反射方向の光軸Ｌ２上に配置された、リレーレンズ７６と、全反射ミラー７７と、全反射ミラー７７の反射方向の光軸Ｌ２上に配置された受光絞り７８と、コリメータレンズ７９と、リングレンズ８０と、エリアＣＣＤ等からなる二次元撮像素子（受光素子）８２と、を含む。受光絞り７８及び撮像素子８２は、眼底Ｅｆと光学的に共役な位置関係となっている。リングレンズ８０は、リング状に形成されたレンズ部と、レンズ部以外の領域に遮光用のコーティングを施した遮光部と、から構成され、被検眼Ｅの瞳孔と光学的に共役な位置関係となっている。撮像素子８２からの出力は、演算制御部１００（以下、制御部１００）に入力される。
【００２４】
なお、測定光学系７０は上記のものに限らず、被検眼眼底Ｅｆに向けて測定光を投光する投光光学系と、測定光の眼底Ｅｆでの反射によって取得される反射光を受光素子によって受光する受光光学系と、を有する測定光学系であればよい。例えば、眼屈折力測定光学系は、シャックハルトマンセンサーを備えた構成であってもよい。もちろん、他の測定方式の装置が利用されてもよい（例えば、スリットを投影する位相差方式の装置）。
【００２５】
観察光学系（撮像光学系）６０は、対物レンズ１８と、ダイクロイックミラー１７とを、視標呈示光学系１０と共用しており、ハーフミラー１５と、撮像レンズ６１と、二次元撮像素子６２と、を備える。二次元撮像素子６２は、被検眼Ｅの前眼部と略共役な位置に配置された撮像面を持っている。二次元撮像素子６２からの出力は、制御部１００に入力され、その結果、二次元撮像素子６２により撮像される被検眼Ｅの前眼部像が、モニタ７上に表示される。なお、この観察光学系６０は、被検眼Ｅの角膜に形成されるアライメント指標像を検出する光学系を兼ねている。二次元撮像素子６２によるアライメント指標像の撮像結果に基づいてアライメント指標像の位置が検出される。
【００２６】
以上に示したように、本実施形態においては、視標呈示光学系１０を利用して高コントラスト視力および低コントラスト視力の測定を行うことができる。また、視標呈示光学系１０と、リング指標投影光学系５５と、作動距離指標投影光学系５６と、観察光学系６０と、測定光学系７０とを利用して他覚的な眼屈折力の測定を行うことができる。ところで、視標呈示光学系１０の視標板１２には、他覚的な眼屈折力測定のための固視標が１つ配置されているのに対して、視力検査用視標は、視力値毎に複数配置されている。このため、視力検査用視標の数が多いほど、検眼装置１の中で、視標呈示光学系１０の配設スペースが増大してしまう。しかも、視標呈示光学系１０の光路は、観察光学系６０および測定光学系７０とは、被検眼Ｅからダイクロイックミラー１７までしか共用できず、リング指標投影光学系５５および作動距離指標投影光学系５６とは独立である。よって、視標呈示光学系１０の視標板１２において視力検査用視標を増やした場合、それにより視標呈示光学系１０で増大した配設スペースを、他の光学系５５，５６，６０，７０によって吸収することは難しい。つまり、本実施形態のような光学系を持つ従来の検眼装置では、高コントラスト視力と低コントラスト視力との両方を測定しようとすると、単純に、視標の数が増える分だけ、検眼装置全体が大型化するおそれがあった。これに対し、本実施形態の検眼装置１は、上述したように、高コントラスト視力を測定する視標１２ａを、低コントラスト視力を測定する際にも使いまわしできる。従って、高コントラスト視力および低コントラスト視力の視力測定と、他覚的な眼屈折力の測定が可能であるにも関わらず、検眼装置１の大型化を抑制できる。
【００２７】
次に、検眼装置１の制御系について説明する。検眼装置１は、主な制御系として、制御部１００を有している。制御部１００は、検眼装置１の各部の制御処理と、測定結果の演算処理を行う電子回路を有する処理装置である。制御部１００は、可視光源１１，４１と、二次元撮像素子２２，６２と、モータ１８と、駆動機構１９と、メモリ１０１と、モニタ７と、操作部９０と、に電気的に接続されている。
【００２８】
メモリ１０１は、制御部１００が検眼装置１の各種制御を行うための制御プログラムが記憶されているプログラム記憶領域と、視力や眼屈折力等の測定結果を一時的に格納する一時記憶領域とを有する記憶装置である（図示せず）。本実施形態において、メモリ１０１には、自覚的な測定である視力測定を様々な状態で行うために用意された視力測定モードのための制御プログラムと、他覚的に眼屈折力を測定する他覚測定モードのための制御プログラムと、が予め記憶されている。この制御プラグラムに規定される視力測定モードには、更に、高コントラスト視力の測定を行うための通常モードと、低コントラスト視力の測定を行うための低コントラストモードと、グレア点灯状態において視力測定を行うためのグレアモードとの少なくとも３種類のモードが用意されている。
【００２９】
操作部９０は、検者からの操作を受け付けて、操作に応じた信号を制御部１００へ入力するために複数のスイッチ９０ａ，９０ｂ，９０ｃ，９０ｄ，９０ｅ，９０ｆ，９０ｇ，９０ｆが設けられている。スイッチ９０ａ，９０ｂ，９０ｃ，９０ｄの各スイッチは、それぞれ、制御部１００のモードを、他覚測定モード、通常モード、低コントラストモード、グレアモードのそれぞれに移行させるための操作を受け付けるスイッチである。
【００３０】
また、スイッチ９０ｅ，９０ｆは、呈示視標の視力値を変更するために操作されるスイッチである。視力測定モードにおいて、スイッチ９０ｅ又はスイッチ９０ｆからの操作信号が制御部１００へ入力された場合は、制御部１００は、視標板１２を駆動させて、光軸Ｌ１上に配置する視標１２ａの組み合わせを切り換える。これにより、被検眼Ｅに呈示される視標１２ａが切り換えられる。なお、スイッチ９０ｅが操作された場合は、視力値の一段階高い視標１２ａへ切り換えられ、スイッチ９０ｆが操作された場合は、視力値の一段階低い視標１２ａへ切り換えられる。
【００３１】
また、スイッチ９０ｇ，９０ｆは矯正レンズの球面度数を変更するためのスイッチである。スイッチ９０ｇ，９０ｆの操作に基づき、制御部１００は、光源１１及び視標板１２を光軸Ｌ１方向に駆動して球面度数を変更する。
【００３２】
次に、以上のような構成を備える検眼装置１の測定動作について説明する。
【００３３】
＜視力測定モード＞
図３を参照して、視力測定モードについて説明する。図３は、視力測定モードにおける検査の流れの一例を示したフローチャートである。検眼装置１の起動後に、操作部９０が有するスイッチ９０ｂ〜９０ｄのいずれかが操作されると、制御部１００は、操作されたスイッチと対応する視力測定モードの制御を実行する。本検眼装置１において、通常モード、低コントラストモード、グレアモードの各モードは、いずれのモードからでも移行できるが、ここでは、説明の便宜のため、通常モード→低コントラストモード→グレアモードの順で、それぞれのモードでの検査を行う場合について説明する。
【００３４】
＜通常モード＞
検眼装置１の起動後に、スイッチ９０ｂが操作されると、制御部１００は、通常モードの制御を実行する。これにより、高コントラスト視力の測定、即ち、通常行われる視力測定が可能となる（Ｓ１）。通常モードでは、制御部１００は、スイッチ９０ｂからの操作信号が入力されると、第１光量で可視光源１１を点灯させる。また、制御部１００は、視標板１２をモータ１８で駆動させ、最初に被検眼Ｅへ呈示する視標１２ａ（視標１２ａの組）を、光軸Ｌ１上に配置させる。このとき、予め他覚測定モードにて測定された眼屈折力がメモリ１０１に記憶されている場合は、制御部１００は、その眼屈折力から推定される視力値を持つ視標１２ａの組を、光軸Ｌ１上に配置させる。一方、他覚測定モードにて測定された眼屈折力がメモリ１０１に記憶されていなければ、制御部１００は、最も視力値の低い視標１２ａの組（即ち、視力値０．１の視標１２ａの組）を、光軸Ｌ１上に配置させ、被検眼Ｅへ呈示させる。
【００３５】
以上の動作により、最初の視標１２ａが被検眼Ｅに呈示されたら、検者は、被検者の視力測定を行う。検者は、被検者の応答に応じて、スイッチ９０ｅ，９０ｆを操作し、被検眼Ｅへ呈示する視標１２ａの切り換えを行う。呈示された視標１２ａを被検者が正しく答えられた場合には、検者は、スイッチ９０ｅを操作して１段階高い視力値の視標に切り換える。一方、呈示された視標１２ａについての回答を被検者が誤った場合には、検者は、スイッチ９０ｆを選択して１段階低い視力値の視標に切り換える。以上の手順を繰返すことで被検者が判読可能な限界の最高視力を検査する。
【００３６】
最高視力値が得られたら、検者は、最高視力値が得られる最もプラスよりの球面度数を確認するため、スイッチ９０ｇ，９０ｈの操作によって球面度数Ｓを変更する。スイッチ９０ｇまたはスイッチ９０ｈが選択されると、光源１１及び視標板１２が光軸Ｌ１方向に移動されて球面度数が変更される。これにより、最高視力が得られる最もプラスよりの球面度数Ｓが決定され、眼鏡レンズ又はコンタクトレンズ等の度数を処方する際の参考値が得られる。
【００３７】
＜低コントラストモード＞
通常モードにおいてスイッチ９０ｃの操作信号が制御部１００へ入力されると、制御部１００は、低コントラストモードの制御を実行する。低コントラストモードでは、まず、制御部１００は、可視光源１１から出射される光量を制御して、通常モードにおける第１光量よりも減光された第２光量で可視光源１１を点灯させる（Ｓ２）。これにより、被検眼Ｅに呈示される視力検査用の各視標１２ａと、各視標１２ａの背景とのコントラスト比が２５％未満まで低減される。
【００３８】
また、制御部１００は、可視光源１１からの光量を第１光量から第２光量へ切り換える場合に、モータ１８を駆動して、光軸Ｌ１上に配置される視標１２ａを切り換える（Ｓ３）。このとき、光軸Ｌ１上には、通常モードにて最終的に光軸Ｌ１上に配置された視標１２ａよりも視力値の一段階低い視標１２ａが新たに配置される。例えば、通常モードにて最終的に、視力値０．５の視標１２ａが配置されている場合は、それよりも一段階視力値の低い０．３の視標１２ａが、光軸Ｌ１上に配置される。以上の動作により、最初の視標１２ａが被検眼Ｅに呈示されたら、検者は、低コントラスト視力の測定を行う（Ｓ４）。低コントラスト視力の測定としては、例えば、本実施例においては、可視光源１１から第２光量が照射される状態で、高コントラスト視力の測定と同様にして、呈示視標を視力値の異なるものへ切り換えて、被検者が判読可能な限界の最高視力を検査するものであってもよい。
【００３９】
このように、本実施形態では、可視光源１１からの光量を第１光量から第２光量へ切り換える場合に、制御部１００が、視標呈示光学系１０から被検眼Ｅに呈示される視標１２ａを切り換える。このため、高コントラスト視力の測定と低コントラスト視力の測定とを続けて行っても、高コントラスト視力の測定にて最終的に呈示された視標１２ａを見た被検者の記憶の影響、および残像効果の影響を避けつつ低コントラスト視力を測定できる。
【００４０】
また、本実施形態によれば、視標板１２に設けられた視力値毎に一組ずつの視標１２ａの範囲で視標１２ａの切り換えが行われる。このため、例えば、視標板１２を複数有するような検眼装置においては、視標板１２を切り換えなくても、被検者の記憶の影響、および残像効果の影響を避けつつ２種類の視力測定を続けて行うことができる。また、本実施形態のように、視標板１２が１つあれば（視力値毎に一組ずつの視標１２ａがあれば）、被検者の記憶の影響、および残像効果の影響を避けつつ２種類の視力測定を続けて行うことができるので、本実施形態のように、視標呈示光学系１０の構成を単純化することができる。
【００４１】
しかも、本実施形態では、可視光源１１からの光量を第１光量から第２光量へ切り換える場合に被検眼Ｅへ呈示される視標１２ａは、通常モードにて最終的に呈示された視標１２ａに比べて、視力値の一段階低い視標１２ａに切り換えられる。ここで、一般に、背景とのコントラスト比が小さい視標を用いて行われる低コントラスト視力の測定では、背景とのコントラスト比が大きな視標を用いる高コントラスト視力を測定した場合と比べて、検査結果（最高視力値）が低い視力値となる傾向があることが知られている。このため、可視光源１１からの光量を第１光量から第２光量へ切り換える場合に、一段階だけ視力値の低い視標１２ａに切り換えることで、検者が視標１２ａの切り替えを行う頻度が少なくなる。従って、高コントラスト視力の測定から続けて行われた低コントラスト視力の測定における測定効率を、高めることができる。
【００４２】
＜グレアモード＞
低コントラストモードにおいてスイッチ９０ｃの操作信号が制御部１００へ入力されると、制御部１００は、グレアモードの制御を実行する。グレアモードでは、まず、制御部１００は、グレア光学系４０の２つの可視光源４１を点灯させる（Ｓ５）。これにより、被検眼Ｅに呈示される視標１２ａの外周付近で、スポット的に可視光源４１からのグレア光が発光する（図２参照）。なお、グレア光の発光についてはこれに限らず、視標１２ａの周囲を取り囲むようにしてグレア光を発光させてもよい。
【００４３】
また、制御部１００は、グレア光学系４０の可視光源４１を点灯させる場合に、視標呈示光学系１０のモータ１８を駆動して、光軸Ｌ１上に配置される視標１２ａを切り換える（Ｓ８）。このとき、光軸Ｌ１上には、低コントラストモードで最終的に光軸Ｌ１上に配置された視標１２ａよりも視力値の一段階低い視標に切り換える（Ｓ６）。
【００４４】
以上の動作により、最初の視標１２ａが被検眼Ｅに呈示されたら、検者は、グレア状態における被検者の視力測定を行う（Ｓ７）。例えば、本実施例においては、通常モードでの視力測定と同様にして、グレア光の発光下で、視力値の呈示視標の切り換えを行い、被検者が判読可能な限界の最高視力を検査する。
【００４５】
このように、本実施形態では、グレア光学系４０の可視光源４１を点灯させる場合に、制御部１００が、視標呈示光学系１０から被検眼Ｅに呈示される視標１２ａを切り換える。このため、低コントラスト視力の測定とグレア点灯状態における視力測定とを続けて行っても、低コントラスト視力の測定において最終的に呈示された視標１２ａを見た被検者の記憶の影響、および残像効果の影響を避けつつグレア点灯状態における視力を測定できる。
【００４６】
また、本実施形態によれば、視標板１２に設けられた視力値毎に一組ずつの視標１２ａの範囲で視標１２ａの切り換えが行われる。このため、例えば、視標板１２を複数有するような検眼装置においては、視標板１２を切り換えなくても、被検者の記憶の影響、および残像効果の影響を避けつつ２種類の視力測定を続けて行うことができる。また、本実施形態のように、視標板１２が１つあれば（視力値毎に一組ずつの視標１２ａがあれば）、被検者の記憶の影響、および残像効果の影響を避けつつ２種類の視力測定を続けて行うことができるので、視標呈示光学系１０の構成を単純化することができる。
【００４７】
しかも、本実施形態では、グレア光学系４０の可視光源４１を点灯させる場合に被検眼Ｅへ呈示される視標１２ａは、点灯前の視標１２ａに比べて、視力値の一段階低い視標１２ａに切り換えられる。ここで、一般に、グレア光が点灯している場合に視力測定を行うと、グレア光が消灯している場合の視力測定で得られる視力値と比べて低くなる傾向があることが知られている。よって、可視光源１１を点灯させる場合に、一段階だけ視力値の低い視標に切り換えることで、検者が視標１２ａの切り替えを行う頻度が少なくなる。従って、低コントラスト視力の測定から続けて行われたグレア点灯状態における視力測定の測定効率を、高めることができる。
【００４８】
なお、本実施形態においては、２つのグレア光源を用いたが、これに限らず、１つの光源であってもよい。また、グレア光が視標１２ａを取り囲むように、３つ以上のグレア光源を用いる構成も可能である。すなわち、グレア光の影響を判断できるような構成であればかまわない。
【００４９】
なお、本実施形態においては、グレアテスト用光源４１を視標呈示光学系１０の光路とは別の光路に設けたが、これに限らず、共通の光路に設けてもよい。例えば、視標板１２の外側やリング指標投影光学系５５又は作動距離指標投影光学系５６の外側に設ける構成でもよい。また、視標板１２の前方に設ける構成でもよく、被検者がグレア光を見ることができる構成であればよい。
【００５０】
以上、低コントラストモードからグレア点灯モードへ移行する場合について説明したが、通常モードからグレア点灯モードへ移行することもできる。かかる場合に制御部１００は、通常モードの視力測定で最終的に呈示された視標１２ａと比べて視力値の一段階低い視標１２ａを光軸Ｌ１上に配置させる。よって、かかる場合にも、低コントラストモードからグレア点灯モードへ移行する場合と同様の効果を奏することができる。
【００５１】
また、通常モード、低コントラストモード、およびグレアモードのいずれかのモードから、他のモードに移行する場合に、視標呈示光学系１０の光軸Ｌ１に配置されている視標の視力値を、移行前のモードで行われた検査結果として、メモリ１０１へ記憶するようにしてもよい。そのうえで、メモリ１０１に記憶された視力値を、各モードで再検査を行う場合に参照し、各モードの再検査が行われる場合には、光軸Ｌ１上に、前回の検査結果を示す指標１２ａを配置するようにしても良い。このようにした場合、再検査を、前回の検査の続きから始めることができるので、検査効率を高めることができる。
【００５２】
なお、上記の説明では、通常モード、低コントラストモード、グレアモードの３種類の視力検査が連続して行われる場合について説明したが、例えば、通常モードと低コントラストモードだけを行うなど、任意の２つのモードを任意の順で行うこともできる。また、任意の１つのモードで視力測定を行うこともできる。
【００５３】
＜他覚測定モード＞
検眼装置１が起動された場合（例えば、検眼装置１の電源が投入された場合）、又は、いずれかの視力測定モードにおいてスイッチ９０ａが操作された場合に、制御部１００は、他覚測定モードの制御を行う。他覚測定モードでは、まず、制御部１００は、モータ１８の駆動を制御することにより、被検眼Ｅに雲霧を行うための他覚測定用の視標１２ａ（固視標）を光路にセットする。
【００５４】
まず、検者は、被検者の顔を図示なき顔支持ユニットに固定させ、固視標を固視するよう指示した後、被検眼に対するアライメントを行う。制御部１００は、測定開始信号の入力に基づき光源７１を点灯させる。光源７１から出射された測定光は、リレーレンズ７２から対物レンズ１８までを介して眼底Ｅｆに投影され、眼底Ｅｆ上で回転するスポット状の点光源像を形成する。
【００５５】
眼底Ｅｆ上に形成された点光源像の光は、反射・散乱されて被検眼Ｅを射出し、対物レンズ１８によって集光される。対物レンズ１８に集光された光は、ダイクロイックミラー１７から全反射ミラー７７までを介して受光絞り７８の開口上で再び集光され、コリメータレンズ７９にて略平行光束（正視眼の場合）とされる。この略並行光束は、リングレンズ８０によってリング状光束として取り出され、リング像として撮像素子８２に受光される。
【００５６】
このとき、制御部１００では、はじめに眼屈折力の予備測定が行われる。次に、予備測定の結果に基づいて光源７１及び視標板７２が光軸Ｌ１方向に移動されることにより、被検眼Ｅに対して雲霧がかけられる。その後、雲霧がかけられた被検眼Ｅに対して眼屈折力の測定が行われる。
【００５７】
撮像素子８２からの出力信号は、制御部１００によって、メモリ１０１に画像データ（測定画像）として記憶される。その後、制御部１００は、メモリ１０１に記憶された測定画像に基づいて各経線方向にリング像の位置を特定（検出）する。この場合、制御部１００は、エッジ検出によりリング像の位置を特定する。なお、リング像の位置の特定は、輝度信号の波形を所定の閾値にて切断し、その切断位置での波形の中間点や、輝度信号の波形のピーク、輝度信号の重心位置などによって特定してもよい。次に、制御部１００は、特定されたリング像の像位置に基づいて、最小二乗法等を用いてリング像を楕円に近似する。そして、制御部１００は、近似した楕円の形状から各経線方向の屈折誤差を求め、屈折誤差に基づいて被検眼の眼屈折値、Ｓ（球面度数）、Ｃ（柱面度数）、Ａ（乱視軸角度）の各値を演算し、測定結果をメモリ１０１に記憶すると共にモニタ７に表示する。
【００５８】
前述したように、視力測定モードの通常モードでは、他覚測定モードによる測定結果が予めメモリ１０１に格納されている場合は、その測定結果に基づいて推定される視力値に近い視力値の視標１２ａが、被検眼Ｅにはじめに呈示される。よって、かかる場合は、被検眼Ｅの視力値に近い視標１２ａを呈示した段階から視力測定をはじめることができるので、検者が視標１２ａを切り換える頻度が少なくなる。従って、本実施形態の検眼装置１においては、他覚測定モードにおいて眼屈折力を測定した後に、通常モードに移行させて視力測定を行うことが好ましい。
【００５９】
本発明は、上記実施形態に限定されるものではなく、様々な変形が可能であることは勿論である。上記の実施形態では、検眼装置１は、視力測定のモードが通常モードから低コントラストモードに移行する場合（視標呈示光学系１０の可視光源１１から出射される光量を、第１光量から第２光量へ切り換える場合）と、低コントラストモードからグレアモードへ移行する場合（グレアテスト光学系４０の可視光源１１を点灯させる場合）とのそれぞれの場合で、被検眼Ｅに呈示する指標を、１段階視力値の低い視標１２ａに切り換える場合について説明したが、２段階以上視力値の低い視標１２ａに切り換えるようにしてもよい。
【００６０】
また、通常モードから低コントラストモードへ移行する場合と、低コントラストモードからグレアモードへ移行する場合とは、視標１２ａの視力値を下げる段階を一致させなくてもよい。例えば、通常モードから低コントラストモードへ移行する場合は、呈示視標１２ａを１段階視力値の低い視標１２ａに切り換え、低コントラストモードからグレアモードへ移行する場合は、呈示視標１２ａを２段階視力値の低い視標１２ａに切り換えるようにしてもよい。
【００６１】
また、視力測定のモードが通常モードから低コントラストモードに移行する場合、低コントラストモードからグレアモードへ移行する場合とのそれぞれの場合において、被検眼Ｅに呈示する視標１２ａを、視力値の高い視標１２ａに切り換えるようにしてもよい。かかる場合であっても、視力測定のモードが切り替わる場合に、被検眼Ｅに呈示される視標１２ａが視力の高いものへと切り替わることで、被検者の記憶の影響、および残像効果の影響を避けつつ２種類の視力測定を続けて行うことができる。
【００６２】
また、上記実施形態では、視力測定のために、被検眼Ｅに対して同時に呈示される視標Ｅを、視力値毎に１組ずつ設ける場合について説明したが、必ずしもこれに限られるものではなく、２組以上の視標１２ａを、視力値毎に設けるようにしても良い。例えば、同一の視力値に対応する２以上の視標１２ａの組を、視標板１２に持たせる。かかる場合は、視力測定のモードが通常モードから低コントラストモードに移行する場合、低コントラストモードからグレアモードへ移行する場合とのそれぞれの場合において、被検眼Ｅに呈示する視標１２ａを、視力値の低いものと高いものと同じものとのいずれにも切り換えることができる。いずれに切り換えた場合であっても、被検者の記憶の影響、および残像効果の影響を避けつつ２種類の視力測定を続けて行うことができる。また、視力値毎に互いの視標が異なる２以上の視標板を設け、視力測定のモードが、通常モードから低コントラストモードに移行する場合、低コントラストモードからグレアモードへ移行する場合の各場合に、光路Ｌ１上に視標を配置させる視標板を切り換えるようにしてもよい。
【００６３】
また、上記の実施形態においては、視標呈示光学系１０には、視標板１２に照射される照明光の光量を切り換えるために、スイッチ９０ｃの操作に基づいて出射する光量を切り換え可能な可視光源１１を設ける場合について説明したが、必ずしも上記の構成に限られるものではない。例えば、出射される光量の異なる２以上の照明を設け、スイッチ９０ｃの操作に基づいて、点灯する照明を切り換えるようにしても良い。また、視標板１２に照射される光量を切り換えるために、光源と視標板１２との間に、スイッチ９０ｃの操作に基づいて光源からの照射光の一部を遮断するように配置されるフィルターを設けてもよい。
【００６４】
また、上記の実施形態においては、検眼装置１は、他覚的な眼屈折力測定を行う構成を併せ持つものとして説明したが、本発明を実施するうえで、他覚的な眼屈折力測定を行うための構成（例えば、リング指標投影光学系５５と、作動距離指標投影光学系５６と、観察光学系６０と、測定光学系７０）は、必ずしも設けなくても良い。また、本発明を、他覚的な眼屈折力測定を行うための検眼装置以外の検眼装置に適用することもできる。例えば、自動視力計に適用することができる。
【００６５】
また、上記の実施形態においては、検眼装置１は、グレア光学系４０を用いて、グレア点灯時における視力測定を行えるものとして説明したが、本発明を実施するうえで、グレア光学系４０は、必ずしも設けなくても良い。このような構成であっても、視力測定のモードが通常モードから低コントラストモードへと切り替わる場合に、被検眼Ｅに呈示される視標１２ａが視力値の一段階低いものへ切り替わる。その結果、被検者の記憶の影響、および残像効果の影響を避けつつ２種類の視力測定を続けて行うことができる。また、低コントラスト視力を測定するために検者が視標１２ａを切り換える頻度を少なくすることができる。
【００６６】
また、上記の実施形態において、制御部１００が、視力測定のモードをグレアモードに移行させている場合は、可視光源１１から第２光量の照明光を照射させた状態にして、視力測定を行わせる場合について説明したが、必ずしもこれに限られるものではなく、制御部１００が、視力測定のモードをグレアモードに移行させている場合は、可視光源１１から第１光量の照明光を照射させた状態にして、視力測定を行わせてもよい。
【符号の説明】
【００６７】
１０      視標呈示光学系
１１      可視光源
１２ａ    視標
１８      モータ
４０      グレアテスト光学系
１００    制御部
【図１】
2014147427.tif 000003
【図２】
2014147427.tif 000004
【図３】
2014147427.tif 000005